(57)【要約】【課題】  簡易な構成で使い勝手の良い便器用便座を提供しようとする。【解決手段】  従来の便器用便座にかわって、上部に旋回用水平面を設けられ上から見て略真ん中に排泄物を通過させるに必要な形状の固定部貫通穴を設けられた盤状の部材である固定盤と該固定盤を腰掛式大便器のリムの上面に旋回不能に取り付ける固定盤取付機器とを有する便座固定部と、上部に人間を座らせる座面を設けられ上から見て略真ん中に排泄物を通過させるに必要な形状の旋回部切欠きを設けられた盤状の部材である旋回盤と該旋回盤の下面に該旋回部切欠きを囲う様に各々に配置され前記旋回用水平面の上を転動可能な複数のローラとを有する便座旋回部と、前記旋回盤を仮想の旋回垂直軸の周りに旋回可能に案内する旋回案内部と、を備えたものとした。【選択図】    図１４
2009118923.tif 000002
【特許請求の範囲】
【請求項１】
腰掛式大便器に取付可能な便器用便座であって、
上部に旋回用水平面を設けられ上から見て略真ん中に排泄物を通過させるに必要な形状の固定部貫通穴を設けられた盤状の部材である固定盤と該固定盤を腰掛式大便器のリムの上面に旋回不能に取り付ける固定盤取付機器とを有する便座固定部と、
上部に人間を座らせる座面を設けられ上から見て略真ん中に排泄物を通過させるに必要な形状の旋回部切欠きを設けられた盤状の部材である旋回盤と該旋回盤の下面に該旋回部切欠きを囲う様に配置され前記旋回用水平面の上を転動可能な複数のローラとを有する便座旋回部と、
前記旋回盤を仮想の旋回垂直軸の周りに旋回可能に案内する旋回案内部と、
を備えたことを特徴とする便器用前座
【請求項２】
前記旋回盤の旋回を抑制するロック状態と前記旋回盤の旋回を許すアンロック状態の間で姿勢を変化させる前記旋回ロック・アンロック部を、
備えることを特徴とする請求項１に記載の便器用便座
【請求項３】
前記旋回ロック・アンロック部が前記旋回盤に押付けられる制動面を設けられたブレーキバッドと該ブレーキパッドをロック状態とアンロック状態の間で移動させるブレーキパッド移動機器とを有し、
前記ロック状態が前記制動面を前記旋回盤に押付けた状態であって、
前記アンロック状態が前記制動面を前記旋回盤から離間させた状態である、
ことを特徴とする請求項２に記載の便器用便座。
【請求項４】
前記ブレーキパッドが前記制動面に前記旋回垂直軸を仮想中心として半径方向に所定のピッチ角度θ毎に離れて隣り合った複数の仮想半径線を交互に山線または谷線とし水平から見てジグザグ状の歯面を設けられ、
前記旋回盤が前記制動面を押付けられる面に前記制動面に設けられた前記歯面に嵌まり合うことをできる水平から見てジグザグ状の歯面を設けられる、
ことを特徴とする請求項３に記載の便器用便座。
【請求項５】
前記制動面が前記旋回盤の下面に押付けられ、
前記ロック・アンロック部が、前記ブレーキバッドを上方に所定の付勢力で付勢させる弾性ばね構造を有する、
ことを特徴とする請求項４に記載の便器用便座。
【請求項６】
前記ブレーキバッド移動機構が前記付勢力に逆らって前記ブレーキパッドを下方に引っ張ることをできるワイヤ機構を持つ、
ことを特徴とする請求項５に記載の便器用便座。
【請求項７】
前記旋回案内部が、前記便座固定部の腰掛式大便器を使用する人の背面の側に前記旋回垂直軸から所定距離Ｘだけ離れた位置に左右方向に離間して垂直に立った１対のガイド用シャフトと該ガイド用シャフトに回転自在に各々に支持された１対の軸受けローラとを有し、
前記旋回盤が、前記旋回垂直軸を中心とした半径Ｘの円弧に沿って設けられた長尺のガイド部を設けられ、
１対の前記軸受けローラが前記ガイド部に嵌まり合う、
ことを特徴とする請求項６に記載の便器用便座
【請求項８】
前記ブレーキバッドが前記ガイド用シャフトに上下方向に移動自在に案内される、
ことを特徴とする請求項７に記載の便器用便座。
【請求項９】
前記旋回案内部が、前記便座旋回部の腰掛式大便器を使用する人の背面の側に前記旋回垂直軸から所定距離Ｘだけ離れた位置に左右方向に離間して垂直に立った１対のガイド用シャフトと該ガイド用シャフトに回転自在に各々に支持された１対の軸受けローラとを有し、
前記固定盤が、前記旋回垂直軸を中心とした半径Ｘの円弧に沿って設けられた長尺のガイド部を設けられ、
１対の前記軸受けローラが前記ガイド部に嵌まり合う、
ことを特徴とする請求項６に記載の便器用便座
【請求項１０】
前記固定盤取付機器が、前記固定盤を前後方向に水平移動自在に案内する直動ガイドを含む前後案内機構または前記固定盤を左右方向に水平移動自在に案内する直動ガイドを含む左右案内機構のうちの一方または両方を持つ、
ことを特徴とする請求項１に記載の便器用便座。
【発明の詳細な説明】
【技術分野】
【０００１】
本発明は、腰掛式大便器に取付可能な便器用便座に係る。特に、人が座るのを容易にする構造に特徴のあある便器用便座に関する。
【背景技術】
【０００２】
一般に腰掛式大便器には便座が設けられる。
人は、腰掛式大便器に背に向けて便座に座り用を足す。
腰掛式大便器が狭い場所にある場合、または人がハンデキャップを持っている場合、人が腰掛式大便器を背に向けて座りにくい場合がある。
【０００３】
【特許文献１】特開平７−２０４１２５号
【発明の開示】
【発明が解決しようとする課題】
【０００４】
本発明は以上に述べた問題点に鑑み案出されたもので、簡易な構成で使い勝手の良い便器用便座を提供しようとする。
【課題を解決するための手段】
【０００５】
上記目的を達成するため、本発明に係る腰掛式大便器に取付可能な便器用便座を、上部に旋回用水平面を設けられ上から見て略真ん中に排泄物を通過させるに必要な形状の固定部貫通穴を設けられた盤状の部材である固定盤と該固定盤を腰掛式大便器のリムの上面に旋回不能に取り付ける固定盤取付機器とを有する便座固定部と、上部に人間を座らせる座面を設けられ上から見て略真ん中に排泄物を通過させるに必要な形状の旋回部切欠きを設けられた盤状の部材である旋回盤と該旋回盤の下面に該旋回部切欠きを囲う様に各々に配置され前記旋回用水平面の上を転動可能な複数のローラとを有する便座旋回部と、前記旋回盤を仮想の旋回垂直軸の周りに旋回可能に案内する旋回案内部と、を備えたものとした。
【０００６】
上記本発明の構成により、固定盤が、上部に旋回用水平面を設けられ上から見て略真ん中に排泄物を通過させるに必要な形状の固定部貫通穴を設けられた盤状の部材である。固定盤取付機器が、該固定盤を腰掛式大便器のリムの上面に旋回不能に取り付ける。旋回盤が、上部に人間を座らせる座面を設けられ上から見て略真ん中に排泄物を通過させるに必要な形状の旋回部切欠きを設けられた盤状の部材である。複数のローラが、該旋回盤の下面に該旋回部切欠きを囲う様に配置され前記旋回用水平面の上を転動可能である。旋回案内部が、前記旋回盤を仮想の旋回垂直軸の周りに旋回可能に案内する。
その結果、前記旋回盤が腰掛式大便器のリムの上面に旋回不能に取り付けられた固定盤の上面を案内面として旋回でき、人は好みの向きでで旋回盤の座面に座ったり降りたりして、腰掛式大便器を利用できる。
【０００７】
以下に、本発明のいくつかの実施形態を説明する。本発明は、以下に記載の実施形態のいずれか、またはそれらの中の二つ以上が組合わされた態様を含む。
【０００８】
本発明の実施形態に係る便器用便座は、前記旋回盤の旋回を抑制するロック状態と前記旋回盤の旋回を許すアンロック状態の間で姿勢を変化させる前記旋回ロック・アンロック部を、備える。
上記実施形態の構成により、前記旋回盤の旋回を抑制するロック状態と前記旋回盤の旋回を許すアンロック状態の間で姿勢を変化できる。
その結果、旋回盤の旋回を抑制した状態で便座に座りまた降りることをでき、旋回盤を希望の向きに旋回させることをできる。
【０００９】
本発明の実施形態に係る便器用便座は、前記旋回ロック・アンロック部が前記旋回盤に押付けられる制動面を設けられたブレーキバッドと該ブレーキパッドをロック状態とアンロック状態の間で移動させるブレーキパッド移動機器とを有し、前記ロック状態が前記制動面を前記旋回盤に押付けた状態であって、前記アンロック状態が前記制動面を前記旋回盤から離間させた状態である、
上記実施形態の構成により、ブレーキバッドが、前記旋回盤に押付けられる制動面を設けられる。ブレーキパッド移動機器が、該ブレーキパッドをロック状態とアンロック状態の間で移動させる。前記ロック状態で前記制動面を前記旋回盤に押付ける。前記アンロック状態で前記制動面を前記旋回盤から離間させる。
その結果、前記制動面を前記旋回盤に押付けて旋回盤の旋回を抑制し、前記制動面を前記旋回盤から離間させて旋回盤の旋回を許すことをできる。
【００１０】
本発明の実施形態に係る便器用便座は、前記ブレーキパッドが前記制動面に前記旋回垂直軸を仮想中心として半径方向に所定のピッチ角度θ毎に隣り合った複数の仮想半径線を交互に山線または谷線とし水平から見てジグザグ状の歯面を設けられ、前記旋回盤が前記制動面を押付けられる面に前記制動面に設けられた前記歯面に嵌まり合うことをできる水平から見てジグザグ状の歯面を設けられる。
上記実施形態の構成により、前記ブレーキパッドの前記制動面に前記旋回垂直軸を仮想中心として半径方向に所定のピッチ角度θ毎に隣り合った複数の仮想半径線を交互に山線または谷線とし水平から見てジグザグ状の歯面を設けられる。前記旋回盤の前記制動面を押付けられる面に前記制動面に設けられた前記歯面に嵌まり合うことをできる水平から見てジグザグ状の歯面を設けられる。
その結果、ロック状態で旋回盤に設けられたジグザグ状の歯面とブレーキパッドに設けられたジグザグ状の歯面が嵌まり合い、旋回盤の旋回が抑制される。
【００１１】
さらに、本発明の実施形態に係る便器用便座は、前記制動面が前記旋回盤の下面に押付けられ、前記前回ロック・アンロック部が、前記ブレーキバッドを上方に所定の付勢力で付勢させる弾性ばね構造を有する。
上記実施形態の構成により、前記制動面が前記旋回盤の下面に押付けられる。弾性ばね構造が前記ブレーキバッドを上方に所定の付勢力で付勢させる。
その結果、人が旋回盤に座ると、人の重みが旋回盤に作用し、制動面の歯面と前記旋回盤の歯面とがしっかり嵌まり合う。
【００１２】
さらに、本発明の実施形態に係る便器用便座は、前記ブレーキバッド移動機構が前記付勢力に逆らって前記ブレーキパッドを下方に引っ張ることをできるワイヤ機構を持つ。
上記実施形態の構成により、ワイヤ機構が、前記付勢力に逆らって前記ブレーキパッドを下方に引っ張ることをできる。
その結果、前記ワイヤ機構を用いて前記ブレーキパッドを下方に引っ張ると、制動面を前記制動面を前記旋回盤から離間させてアンロック状態にできる。
【００１３】
さらに、本発明の実施形態に係る便器用便座は、前記旋回案内部が、前記便座固定部の腰掛式大便器を使用する人の背面の側に前記旋回垂直軸から所定距離Ｘだけ離れた位置に左右方向に離間して垂直に立った１対のガイド用シャフトと該ガイド用シャフトに回転自在に各々に支持された１対の軸受けローラとを有し、前記旋回盤が、前記旋回垂直軸を中心とした半径Ｘの円弧に沿って設けられた長尺のガイド部を設けられ、１対の前記軸受けローラが前記ガイド部に嵌まり合う。
上記実施形態の構成により、１対のガイド用シャフトが、前記便座固定部の腰掛式大便器を使用する人の背面の側に前記旋回垂直軸から所定距離Ｘだけ離れた位置に左右方向に離間して垂直に立つ。１対の軸受けローラが、該ガイド用シャフトに回転自在に各々に支持される。１対の前記軸受けローラが前記ガイド部に嵌まり合う
その結果、旋回盤は、前記ガイド部を前記便座固定部に起立した１対のガイド用シャフトに支持された記軸受けローラにガイドされて。前記旋回垂直軸を中心として旋回できる。
【００１４】
さらに、本発明の実施形態に係る便器用便座は、前記ブレーキバッドが前記ガイド用シャフトに上下方向に移動自在に案内される。
上記実施形態の構成により、前記ガイド用シャフトが前記ブレーキバッドを上下方向に移動自在に案内される。
その結果、前記ガイド用シャフトが前記軸受けローラと前記ブレーキパッドの支持機構を兼用するので、便座を小型化でき、人が腰掛式大便器を利用するのを邪魔しない。
【００１５】
さらに、本発明の実施形態に係る便器用便座は、前記旋回案内部が、前記便座旋回部の腰掛式大便器を使用する人の背面の側に前記旋回垂直軸から所定距離Ｘだけ離れた位置に左右方向に離間して垂直に立った１対のガイド用シャフトと該ガイド用シャフトに回転自在に各々に支持された１対の軸受けローラとを有し、前記固定盤が、前記旋回垂直軸を中心とした半径Ｘの円弧に沿って設けられた長尺のガイド部を設けられ、１対の前記軸受けローラが前記ガイド部に嵌まり合う。
本実施形態の構成により、１対のガイド用シャフトが、前記便座旋回部の腰掛式大便器を使用する人の背面の側に前記旋回垂直軸から所定距離Ｘだけ離れた位置に左右方向に離間して垂直に立つ。１対の軸受けローラが、該ガイド用シャフトに回転自在に各々に支持される。１対の前記軸受けローラが前記ガイド部に嵌まり合う
その結果、旋回盤は、前記便座旋回部に起立した１対のガイド用シャフトに支持された記軸受けローラを前記ガイド部にガイドされて。前記旋回垂直軸を中心として旋回できる。
【００１６】
さらに、本発明の実施形態に係る便器用便座は、前記固定盤取付機器が、前記固定盤を前後方向に水平移動自在に案内する直動ガイドを含む前後案内機構または前記固定盤を左右方向に水平移動自在に案内する直動ガイドを含む左右案内機構のうちの一方または両方を持つ。
上記実施形態の構成により、前記固定盤取付機器が、前後案内機構または左右案内機構のうちの一方または両方を持つ。前記前後案内機構が前記固定盤を前後方向に水平移動自在に案内する直動ガイドを含む。前記左右案内機構が前記固定盤を左右方向に水平移動自在に案内する直動ガイドを含む。
その結果、旋回盤が前後方向または左右方向に水平移動可能になり、人は好みの向きと位置とで旋回盤の座面に座ったり降りたりして、腰掛式大便器を利用できる。
【発明の効果】
【００１７】
以上説明したように本発明に係る便器用前座は、その構成により、以下の効果を有する。
腰掛式大便器のリムに固定盤を取付け、旋回盤の下面に固定したローラを固定盤の旋回用水平面に転動させ、旋回盤を旋回垂直軸の周りに旋回する様にしたので、前記旋回盤が腰掛式大便器のリムの上面に旋回不能に取り付けられた固定盤の上面を案内面として旋回でき、人は好みの向きで旋回盤の座面に座ったり降りたりして、腰掛式大便器を利用できる。
また、前記旋回盤の旋回を抑制するロック状態と前記旋回盤の旋回を許すアンロック状態の間で姿勢を変化できる様にしたので、旋回盤の旋回を抑制した状態で便座に座りまた降りることをでき、旋回盤を希望の向きに旋回させることをできる。
また、ブレーキバッドに前記旋回盤に押付ける制動面を設け、ブレーキパッド移動機器が、前記制動面を前記旋回盤に押付け、または前記制動面を前記旋回盤から離間させることをできる様にしたので、前記制動面を前記旋回盤に押付けて旋回盤の旋回を抑制し、前記制動面を前記旋回盤から離間させて旋回盤の旋回を許すことをできる。
また、前記制動面に前記旋回垂直軸を仮想中心として半径方向に所定のピッチ角度θ毎に隣り合った複数の仮想半径線を交互に山線または谷線とし水平から見てジグザグ状の歯面を設け、前記旋回盤の前記制動面を押付けられる面に前記制動面に設けられた前記歯面に嵌まり合うことをできる水平から見てジグザグ状の歯面を設ける様にしたので、ロック状態で旋回盤に設けられたジグザグ状の歯面とブレーキパッドに設けられたジグザグ状の歯面が嵌まり合い、旋回盤の旋回が抑制される。
また、前記制動面を前記旋回盤の下面に押付け、前記ブレーキバッドを上方に所定の付勢力で付勢させる様にしたので、人が旋回盤に座ると、人の重みが旋回盤に作用し、制動面の歯面と前記旋回盤の歯面とがしっかり嵌まり合う。
また、ワイヤ機構で、前記付勢力に逆らって前記ブレーキパッドを下方に引っ張れる様にしたので、前記ワイヤ機構を用いて前記ブレーキパッドを下方に引っ張ると、制動面を前記制動面を前記旋回盤から離間させてアンロック状態にできる。
また、旋回盤を旋回させるために、１対の軸受ローラを１対のガイド用シャフトに回転自在に支持させ、その１対のガイド用シャフトを前記便座固定部の腰掛式大便器を使用する人の背面の側の前記旋回垂直軸から所定距離Ｘだけ離れた位置に水平方向に離間して垂直に立て、１対の前記軸受けローラを前記ガイド部に嵌まり合わせる様にしたので、旋回盤は、前記ガイド部を前記便座固定部に起立した１対のガイド用シャフトに支持された記軸受けローラにガイドされて。前記旋回垂直軸を中心として旋回できる。
また、前記ガイド用シャフトで前記ブレーキバッドを上下方向に移動自在に案内する様にしたので、前記ガイド用シャフトが前記軸受けローラと前記ブレーキパッドの支持機構を兼用するので、便座を小型化でき、人が腰掛式大便器を利用するのを邪魔しない。
また、旋回盤を旋回させるために、１対の軸受ローラを１対のガイド用シャフトに回転自在に支持させ、その１対のガイド用シャフトを前記便座旋回部の腰掛式大便器を使用する人の背面の側の前記旋回垂直軸から所定距離Ｘだけ離れた位置に水平方向に離間して垂直に立て、１対の前記軸受けローラを前記ガイド部に嵌まり合わせる様にしたので、旋回盤は、前記便座旋回部に起立した１対のガイド用シャフトに支持された記軸受けローラを前記ガイド部にガイドされて、前記旋回垂直軸を中心として旋回できる。
また、固定盤を前後方向に水平移動可能に案内し、また固定盤を左右方向に水平移動可能に案内したので、旋回盤が前後方向または左右方向に水平移動可能になり、人は好みの向きと位置とで旋回盤の座面に座ったり降りたりして、腰掛式大便器を利用できる。
従って、簡易な構成で使い勝手の良い便器用便座を提供できる。
【発明を実施するための最良の形態】
【００１８】
以下、本発明を実施するための最良の形態を、図面を参照して説明する。なお、各図において、共通する部分には同一の符号を付し、重複した説明を省略する。
最初に、第一の実施形態に係る便器用便座を説明する。
図１は、本発明の第一の実施形態に係る便器用便座の正面図である。図２は、本発明の第一の実施形態に係る便器用便座の側面図である。図３は、本発明の第一の実施形態に係る便器用便座の平面図である。図４は、本発明の第一の実施形態に係る便器用便座のＡ−Ａ矢視図である。図５は、本発明の第一の実施形態に係る便器用便座のＢ−Ｂ矢視図である。図６は、本発明の第一の実施形態に係る便器用便座のＣ−Ｃ断面図である。図７は、本発明の第一の実施形態に係る便器用便座のＤ−Ｄ断面図その１である。図８は、本発明の第一の実施形態に係る便器用便座のＥ−Ｅ断面図その１である。図９は、本発明の第一の実施形態に係る便器用便座のＦ−Ｆ断面図その１である。図１０は、本発明の第一の実施形態に係る便器用便座のＤ−Ｄ断面図その２である。図１１は、本発明の第一の実施形態に係る便器用便座のＥ−Ｅ断面図その２である。図１２は、本発明の第一の実施形態に係る便器用便座のＦ−Ｆ断面図その２である。
以下、説明の便宜のために、人が座った場合に背中の向いた側を背面の側、人の前側を前側と呼称する。
【００１９】
便器用便座は、腰掛式大便器１０に取付可能な便座である。
腰掛式大便器１０は、人が腰掛けて用を足すためのものである。
便座は、腰掛式大便器１０のリム１１に設けられ、人が腰掛けるためのものである。
【００２０】
便器用便座は、便座固定部１００と便座旋回部２００と旋回案内部３００と旋回ロック・アンロック部４００とで構成される。
【００２１】
便座固定部１００は、腰掛式大便器１０に支持され、便座旋回部２００を支持するものである。
便座固定部１００は、固定盤１１０と固定盤取付機器１２０とで構成される。
固定盤１１０は、上部に旋回用水平面Ｌを設けられ上から見て略真ん中に排泄物を通過させるに必要な形状の固定部貫通穴Ｊを設けられた盤状の部材である。
例えば、固定盤１１０は、上部に旋回用水平面Ｌを設けられ上から見て腰掛式大便器１０のリム１１の内のり形状に略一致する形状をもった固定部貫通穴Ｊを設けられた盤状の部材である。
固定盤１１０は、背面の側を固定盤取付機器１２０に固定される。
固定盤１１０の背部には、後述する旋回案内部３００と旋回ロック・アンロック部と設置するための空隙が設けられる。
【００２２】
固定盤取付機器１２０は、固定盤１１０を腰掛式大便器１０のリム１１の上面に旋回不能に取り付ける機器である。
固定盤取付機器１２０は、取付機器ベース１２１と取付機器カバー１２２と取付機器軸１２３とで構成される、
図４は、便座旋回部２００と取付機器カバー１２２とを取り外した状態の平面図を示している。
取付機器ベース１２１は、固定盤取付機器１２０の基礎部材であり、便器用便座１０のリムの背部に設けられた１対の穴を利用して、便器用便座１０に取り付けられる。
取付機器カバー１２２は、取付機器ベース１２１の上部を覆う部材である。
取付機器カバー１２２は、後述する旋回案内部３００と旋回ロック・アンロック部を視界から遮っている。
取付機器軸１２３は、  固定盤１１０を取付機器ベース１２１にとりつける部材である。
例えば、取付機器軸１２３は、固定盤１１０の背部と取付機器ベース１２１とを貫通する。
【００２３】
便座旋回部２００は、便座固定部１００の旋回用水平面Ｌの上を仮想の旋回垂直軸Ｃを回転中心として旋回するものである。
旋回垂直軸Ｃは、上から見てリム１１の内のり形状の略真ん中を通る仮想の垂直軸である。
便座旋回部２００は、旋回盤２１０と複数のローラ２２０と１対の取っ手２３０とで構成される。
旋回盤２１０は、上部に人間を座らせる座面を設けられ、上から見て略真ん中に排泄物を通過させるに必要な形状の旋回部切欠きＨを設けられた盤状の部材である。
例えば、旋回部切欠きＨは、従来の便座に設けられる長穴または長穴の前部が切り欠かれた形状の一方の形状をしている。
旋回盤２１０は、後述する制動面Ｓ１を押付けられる面に制動面Ｓ１に設けられた歯面に嵌まり合うことをできる水平から見てジグザグ状の歯面を設けられる。
以下、説明の便宜のために、旋回盤２１０の制動面Ｓ１を押付けられる面を被制動面Ｓ２と呼称する。
旋回盤２１０は、旋回垂直軸Ｃを中心とした半径Ｘの円弧に沿って設けられた長尺のガイド部Ｇを設けられる。
例えば、旋回盤２１０は、旋回垂直軸Ｃを中心とした半径Ｘの円弧に沿って設けられた長穴のガイド部Ｇを設けられる。
【００２４】
旋回盤２１０は、旋回盤本体２１１とブレーキシュー２１２とで構成される。
ブレーキシュー２１２は、扇状の形状をした板部材であって、上記の被制動面Ｓ２を形成するために別部品として製造され、旋回盤本体２１１にはめ込まれる。
例えば、ブレーキシュー２１２は、旋回盤本体２１１の下面に嵌め込まれる。
扇状の形状の外周の曲率半径と内周の曲率半径の平均寸法が、半径Ｘに略等しい。
ブレーキシュー２１２は、旋回垂直軸Ｃを仮想中心として半径方向に所定のピッチ角度θ毎に離れて隣り合った複数の仮想半径線を山線または谷線とし水平から見てジグザグ状の歯面を設けられる。
ブレーキシュー２１２の円周方向に沿った長さは、ガイド部Ｇの円周方向に沿った長さよりも長い。ガイド部Ｇは、ブレーキシュー２１２の輪郭をはみ出さない様に、旋回盤２１０に設けられる。
【００２５】
ローラ２２０は、旋回盤２１０の下面に旋回部切欠きＨを囲う様に各々に固定され、旋回用水平面Ｌの上を転動可能な機械要素である。
例えば、ローラ２２０は、球体と球体を回転中心点で回転可能に保持する保持具でできている。
複数のローラ２２０は、球体の下側の一部が露出する様に、旋回盤２１０の下面に埋め込まれる。
図５は、８個のローラ２２０が旋回盤２１０の下面に埋め込まれるのを示している。
図５では、４個のローラ２２０が旋回垂直軸Ｃから半径Ｒ２の円弧状に配置され、４個のローラ２２０が旋回垂直軸Ｃから半径Ｒ１の円弧状に配置され、全てのローラ２２０が円周方向に所定の間隔で配されている。
旋回盤２１０が固定盤１１０の上を旋回するときに、全てのローラのうちの旋回盤２１０に作用する人の重心を囲うように少なくとも３個以上のローラ２２０が、旋回用水平面Ｌの上を転動する。
【００２６】
取っ手２３０は、旋回盤２１０の上面の左右に固定される。
旋回盤２１０が後部に左右に扇状に張りだした張りだし部をもち、１対の取っ手２３０が、張りだし部に固定される。
人が便座旋回部２００に座った際に、取っ手２３０を握ると体を安定させることができる。
【００２７】
旋回案内部３００は、旋回盤２１０を仮想の旋回垂直軸Ｃの周りに旋回可能に案内するものである。
旋回案内部３００は、１対のガイド用シャフト３１０と１対の軸受けローラ３２０とセンターロック部材３３０で構成される。
ガイド用シャフト３１０は、便座固定部１００の腰掛式大便器１０を使用する人の背面の側に旋回垂直軸Ｃから所定距離Ｘだけ離れた位置に左右方向に離間して垂直に立った軸状部材である。
１対のガイド用シャフト３１０は、左右方向に離間して位置し、下端を取付機器べース１２１の下部に固定される。
軸受けローラ３２０は、ガイド用シャフト３１０に回転自在に各々に支持されローラである。
例えば、軸受けローラ３２０は回転軸を垂直にした円筒ローラである。
１対の軸受けローラ３２０がガイド部Ｇに嵌まり合う。
ガイド部Ｇの円弧中心が旋回垂直軸Ｃに一致しているので、１対の軸受けローラ３２０がガイド部Ｇを案内し、便座旋回部２００が旋回垂直軸Ｃを旋回中心として旋回できる。
【００２８】
センターロック部材３３０は、便座旋回部２００の旋回を所定の旋回位置でロックする部材である。
例えば、所定の旋回位置は、人が腰掛式大便器で用を足す際に最も適当な位置である。通常は、所定の旋回位置は、固定部貫通穴Ｊの左右対称線と旋回部切欠きＨの左右対称線とが一致する位置である。
例えば、センターロック部材３３０は、旋回盤２１０の面に所定の付勢力で押付けられる先端が球状の部材である。
便座旋回部２００が所定の旋回位置に位置するときにセンターロック部材３３０の先端が嵌り込む浅い窪みＤが旋回盤２１０に設けられる。  
図９は、センターロック部材３３０が、旋回盤２１０の背面に設けられた浅い窪みＤに嵌り込んでいるのを示している。
窪みＤが浅いので、旋回盤２１０を所定の力で旋回させようとすると、センターロック部材３３０は窪みＤから外れる。
【００２９】
旋回ロック・アンロック部４００は、ロック状態とアンロック状態の間で姿勢を変化させるものである。
ロック状態は旋回盤２１０の旋回を抑制する状態であり、アンロック状態は旋回盤２１０の旋回を許す状態である。
図７〜９は、ロック状態を示す。
図１０〜１２は、アンロック状態を示す。
【００３０】
旋回ロック・アンロック部４００は、ブレーキパッド４１０とブレーキパッド移動機器４２０と弾性ばね構造４３０とを備える。
ブレーキパッド４１０は、旋回盤２１０に押付けられる制動面Ｓ１を設けられるものである。
ブレーキパッド移動機器４２０は、ブレーキパッド４１０をロック状態とアンロック状態の間で移動させる機器である。
ロック状態が制動面Ｓ１を旋回盤２１０の被制動面Ｓ２に押付けた状態であって、アンロック状態が制動面Ｓ１を旋回盤２１０の被制動面Ｓ２から離間させた状態である。
弾性ばね構造３４０は、ブレーキバッド４１０を上方に所定の付勢力で付勢させる機械要素である。
【００３１】
ブレーキパッド４１０は、制動面Ｓ１に旋回垂直軸Ｃを仮想中心として半径方向に所定のピッチ角度θ毎に離れて隣り合った複数の仮想半径線を交互に山線または谷線とし水平から見てジグザグ状の歯面を設けられる。
ロック状態で、ブレーキパッド４１０の制動面Ｓ１に設けられた歯面と旋回盤２１０の被制動面Ｓ２に設けられた歯面とがかみあう。
アンロック状態で、ブレーキパッド４１０の制動面Ｓ１に設けられた歯面と旋回盤２１０の被制動面Ｓ２に設けられた歯面とが離間する。
【００３２】
ブレーキバッド４１０がガイド用シャフト３１０に上下方向に移動自在に案内されてもよい。
例えば、ブレーキパッド４１０はブレーキパッド本体４１１と１対のリニアブッシュ４１２とで構成される。
リニアブッシュ４１２はシャフトに直線方向に移動自在に案内される機械要素である。
１対のリニアブッシュ４１２がブレーキパッド本体４１１に設けられた垂直穴に固定される。
１対のリニアブッシュ４１２が１対のガイド用シャフト３１０に上下方向に移動自在に案内される
【００３３】
ブレーキパッド移動機器４２０は、付勢力に逆らってブレーキパッドを下方に引っ張ることをできるワイヤ機構を持ってもよい。
例えば、ブレーキパッド移動機器４２０は、後述する弾性ばね構造４３０の付勢力に逆らってブレーキパッド４１０を下方に引っ張ることをできるワイヤ機構を持ってもよい。
ワイヤ機構がブレーキパッド４１０を下方に引っ張らないと、ブレーキパッド４１０の制動面Ｓ１に設けられた歯面と旋回盤２１０の被制動面Ｓ２に設けられた歯面とがかみあい、ロック状態を維持し、旋回盤２１０の旋回を抑制する。
ワイヤ機構がブレーキパッド４１０を下方に引っ張ると、ブレーキパッド４１０の制動面Ｓ１に設けられた歯面と旋回盤２１０の被制動面Ｓ２に設けられた歯面とが離間し、ロック状態を維持し、旋回盤２１０の旋回を許す。
【００３４】
例えば、ブレーキパッド移動機器４２０は、ロック部材４２１とベース部材４２２とリンク部材４２３とクランク部材４２４とワイヤケーブル４２５と遠隔ハンドル４２６で構成される。
ロック部材４２１は、ブレーキパッド４１０に固定され、リンク部材４２３の上端を回転自在に連結される部材である。
ベース部材４２２は、ブレーキパッド４１０の下方に固定され、クランク部材４２４の回転中心を回転自在に支持する部材である。
リンク部材４２３は、ロック部材４２１とクランク部材４２４の略水平になったレバーの先端部とを各々に回転自在に連結する部材である。
クランク部材４２４は、２つのレバーを逆Ｌ字状の形状をした部材であって、レバーの交差部を回転中心とし、略水平に延ばしたレバーの先端をリンク部材４２３の下端に回転自在に連結し、略下方の延ばした延ばしたレバーの先端をワイヤーケーブル４２５に連結する。ワイヤーケーブル４２５を引っ張ると、クランク部材４２４が回転軸まわりに揺動する。
遠隔ハンドル４２６は、ハンドルを握るとワイヤーケーブル４２５を引っ張る機器である。
遠隔ハンドル４２６のハンドルを自由にすると、ブレーキパッド４１０の制動面Ｓ１に設けられた歯面と旋回盤２１０の被制動面Ｓ２に設けられた歯面とがかみあい、ロック状態を維持し、旋回盤２１０の旋回を抑制する。
遠隔ハンドル４２６のハンドルを握ると、ワイヤーケーブル４２５が引っ張られ、クランク部材４２４が揺動してリンク部材４２３を下方に引っ張り、リンク部材４２３がブレーキパッド４１０を下方に引っ張る。ブレーキパッド４１０の制動面Ｓ１に設けられた歯面と旋回盤２１０の被制動面Ｓ２に設けられた歯面とが離間し、ロック状態を維持し、旋回盤２１０の旋回を許す。
【００３５】
弾性ばね構造４３０は、ブレーキバッド４１０を上方に所定の付勢力で付勢させる構造である。
例えば、弾性ばね構造４２６はガイド用シャフト３１０をガイドとしてリニアブッシュ４１２の下に設けられる圧縮スプリングである。
【００３６】
以下に、本発明の第一の実施形態にかかる便器用便座の作用を、図を基に、説明する。
図１３は、本発明の第一の実施形態に係る便器用便座の作用説明図その１である。図１４は、本発明の第一の実施形態に係る便器用便座の作用説明図その２である。
図１３は、固定部貫通穴Ｊの線対称中心線と旋回部切欠きの線対称中心線が一致した状状態である。
この状態で、人は便器用便座に座って、用を足すことをできる。
遠隔ハンドル４２６を握らないと、便座旋回部２００の旋回が抑制される。
遠隔ハンドル４２６を握ると、便座旋回部２００の旋回が許され、図１４の示す状態に旋回することができる。
図１４は、固定部貫通穴Ｊの線対称中心線と旋回部切欠きの線対称中心線が一致しない状態である。
便座旋回部２００が旋回中心軸Ｃの周りの所定の旋回位置で停止している。
人は容易に便器用便座に座ったり、立ち上がったりできる向きに便座旋回部２００を向けることができる。
また、ハンデキャップを持った人が便器用便座に座る際に、介護者が作業しやすい向きに便座旋回部２００を向けることができる。
遠隔ハンドル４２６を握ると、人が便器用便座に座った便座旋回部２００の旋回が許される。
便器用便座が図１３の状態になると、センターロック部材３３０が旋回盤２１０に設けられた窪みＤに嵌まるので、人は便器用便座が用を足すのに適正な向きに向いたことを知ることができる。
【００３７】
次に、本発明の第二の実施形態に係る便器用便座を、図を基に、説明する。
図１５は、本発明の第二の実施形態に係る便器用便座の斜視図である。図１６は、本発明の第二の実施形態に係る便器用便座の解体説明図その１である。図１７は、本発明の第二の実施形態に係る便器用便座の解体説明図その２である。
【００３８】
本発明の第二の実施形態に係る便器用便座は、便座固定部１００と便座旋回部２００と旋回案内部３００と旋回ロック・アンロック部４００とで構成される。
以下、第一の実施形態に係る便器用便座と同じ箇所は説明を省略し、異なる点を説明する。
【００３９】
便座固定部１００は、固定盤１１０と固定盤取付機器１２０とで構成される。
固定盤１１０の主要構造は、第一の実施形態に係る便器用便座と同じなので、異なる点のみを説明する。
固定盤１１０は、旋回垂直軸Ｃを中心とした半径Ｘの円弧に沿って設けられた長尺のガイド部Ｇを設けられる。
例えば、固定盤１１０は、旋回垂直軸Ｃを中心とした半径Ｘの円弧に沿って設けられた長穴のガイド部Ｇを設けられる。
センターロック部材３３０が、固定盤１１０の上面に設けられる。
【００４０】
固定盤取付機器１２０は、固定盤１１０を腰掛式大便器１０のリム１１の上面に旋回不能に取り付ける機器である。
例えば、固定盤取付機器１２０は、左右案内機器１３０と前後案内機器１４０とで構成される。
図１６は、便器用便座を分解し、上下方向に配置した様子を示している。
【００４１】
左右案内機器１３０は、左右案内盤１３１と１対の左右直動ガイド１３２と左右移動ロック・アンロック機構１３３とで構成される。
左右案内盤１３１は、上から見て略真ん中に排泄物を通過させるに必要な形状の固定部貫通穴Ｊを設けられた盤状の部材である。
左右直動ガイド１３２は、左右案内盤１３１の上面に固定され、固定盤１１０を左右方向に水平移動自在に案内する直動ガイドである。
左右移動ロック・アンロック機構１３３は、固定盤１１０の左右方向の水平移動を抑制するロック状態と固定盤１１０の左右方向の水平移動を許すアンロック状態との間で姿勢を変化させる機構である。
左右移動ロック・アンロック機構１３３は、左右移動ブレーキパッドと左右移動ブレーキパッド移動機構とで構成される。
左右移動ブレーキパッドは固定盤１１０に押付けられる制動面を持つ。
左右移動ブレーキパッドの制動面は、前後方向に延び左右方向に所定のピッチで平行に並んだ複数の線を交互に山線と谷線とする水平方向から見てギザギザの歯面を設けられる。
固定盤１１０は、左右移動ブレーキパッドの制動面を押付けられる面に制動面の歯面に嵌まりあう歯面を設けられる。
左右移動ブレーキパッド移動機構は左右移動ブレーキパッドをロック状態とアンロック状態の間で姿勢を移動させる機器である。
左右移動ブレーキパッド移動機構の構造は、第一の実施形態にかかる便器用便座のブレーキパッド移動機構と同じなので、説明を省略する。
ロック状態は制動面を固定盤１１０に押付けた状態である。
アンロック状態は制動面を固定盤１１０から離間させた状態である。
図１６は、左右移動ブレーキパッド移動機器１３３の姿勢がアンロック状態であるのを示している。
【００４２】
前後案内機器１４０は、前後案内盤１４１と１対の前後直動ガイド１４２と前後移動ロック・アンロック機構１４３とで構成される。
前後案内盤１４１は、上から見て略真ん中に排泄物を通過させるに必要な形状の固定部貫通穴Ｊを設けられた盤状の部材である。
前後案内盤１４１は、下部を便器１０のリム１１に固定される。
前後直動ガイド１４２は、前後案内盤１３１の上面に固定され、左右案内機器１３０を前後方向に水平移動自在に案内する直動ガイドである。
前後移動ロック・アンロック機構１４３は、左右案内盤１３０の前後方向の水平移動を抑制するロック状態と左右案内盤１３０の前後方向の水平移動を許すアンロック状態との間で姿勢を変化させる機構である。
前後移動ロック・アンロック機構１４３は、前後移動ブレーキパッドと前後移動ブレーキパッド移動機構とで構成される。
前後移動ブレーキパッドは左右案内盤１３１に押付けられる制動面を持つ。
前後移動ブレーキパッドの制動面は、左右方向に延び前後方向に所定のピッチで平行に並んだ複数の線を交互に山線と谷線とする水平方向から見てギザギザの歯面を設けられる。
水平案内盤１３１は、前後移動ブレーキパッドの制動面を押付けられる面に制動面の歯面に嵌まりあう歯面を設けられる。
前後移動ブレーキパッド移動機構は前後移動ブレーキパッドをロック状態とアンロック状態の間で姿勢を移動させる機構である。
前後移動ブレーキパッド移動機構の構造は、第一の実施形態にかかる便器用便座のブレーキパッド移動機構と同じなので、説明を省略する。
ロック状態は制動面を左右案内盤１３１に押付けた状態である。
アンロック状態は制動面を左右案内盤１３１から離間させた状態である。
図１６は、前後移動ブレーキパッド移動機器１４３の姿勢がアンロック状態であるのを示している。
【００４３】
便座旋回部２００は、便座固定部１００の旋回用水平面Ｌの上を仮想の旋回垂直軸Ｃを回転中心として旋回するものである。
便座旋回部２００の主要な構造は、第一の実施形態に係る便器用便座のものと同じなので、説明を省略する。
図１７は、便座旋回部２２０の下面を示した図である。
【００４４】
旋回案内部３００は、旋回盤２１０を仮想の旋回垂直軸Ｃの周りに旋回可能に案内するものである。
旋回案内部３００は、１対のガイド用シャフト３１０と１対の軸受けローラ３２０とセンターロック部材３３０で構成される。
ガイド用シャフト３１０は、旋回盤２１０の下面の腰掛式大便器１０を使用する人の背面の側に旋回垂直軸Ｃから所定距離Ｘだけ離れた位置に左右方向に離間して垂直に立った軸状部材である。
１対のガイド用シャフト３１０は、左右方向に離間して位置し、下端を旋回盤２１０の下面に固定される。
軸受けローラ３２０は、ガイド用シャフト３１０に回転自在に各々に支持されローラである。
例えば、軸受けローラ３２０は回転軸を垂直にした円筒ローラである。
１対の軸受けローラ３２０が固定盤１１０に設けられたガイド部Ｇに嵌まり合う。
ガイド部Ｇの円弧中心が旋回垂直軸Ｃに一致しているので、１対の軸受けローラ３２０がガイド部Ｇを案内され、便座旋回部２００が旋回垂直軸Ｃを旋回中心として旋回できる。
センターロック部材３３０が、固定盤１１０の上面に設けられる。
旋回盤２１０の線対象軸が固定盤１１０の線対象軸に一致したときに、センターロック部材３３０は旋回盤２１０に設けられた窪みＤに嵌まりあう。
旋回盤２１０を旋回させると、センターロック部材３３０は窪みＤから外れる。
【００４５】
旋回ロック・アンロック部４００は、ロック状態とアンロック状態の間で姿勢を変化させるものである。
旋回ロック・アンロック部４００は、固定盤１１０のガイド部Ｇと異なる位置に設けられる。
例えば、旋回ロック・アンロック部４００は、固定盤１１０のガイド部Ｇの位置より後方の位置に設けられる。
【００４６】
旋回ロック・アンロック部４００は、ブレーキパッド４１０とブレーキパッド移動機器４２０と弾性ばね構造４３０とを備える。
旋回ロック・アンロック部４００は、ブレーキパッド４１０の配置される位置とブレーキパッド４１０を上下方向に移動自在に案内するガイド軸が別途に設けられる他は、第一の実施形態にかかる便器用便座のものと同じなので、説明を省略する。
【００４７】
第二の実施形態にかかる便器用便座の作用は、旋回盤２１０が旋回の他に左右方向と左右方向とに水平移動できる他は、第一の実施形態に係る便器用便座と同じなので、説明を省略する。
【００４８】
上述の実施形態の便器用便座を用いれば、以下の効果を発揮する。
腰掛式大便器１０のリム１１に固定盤１１０を取付け、旋回盤２１０の下面に固定したローラ２２０を固定盤１１０の旋回用水平面Ｌに転動させ、旋回盤２１０を旋回垂直軸Ｃの周りに旋回する様にしたので、旋回盤２１０が腰掛式大便器１０のリム１１の上面に旋回不能に取り付けられた固定盤１１０の上面を案内面として旋回でき、人は好みの向きで旋回盤２１０の座面に座ったり降りたりして、腰掛式大便器１０を利用できる。
また、旋回盤２１０の旋回を抑制するロック状態と旋回盤２１の旋回を許すアンロック状態の間で姿勢を変化できる様にしたので、旋回盤２１０の旋回を抑制した状態で便座に座りまた降りることをでき、旋回盤を２１０希望の向きに旋回させることをできる。
また、ブレーキバッド４１０に旋回盤２１０に押付ける制動面を設け、
ブレーキパッド移動機器４２０が、制動面Ｓ１を旋回盤２１０の被制動面Ｓ２に押付け、または制動面Ｓ１を旋回盤２１０の被制動面Ｓ２から離間させることを選択的にできる様にしたので、制動面Ｓ１を旋回盤２１０の被制動面Ｓ２に押付けて旋回盤２１０の旋回を抑制し、制動面Ｓ１を旋回盤２１０の被制動面Ｓ２から離間させて旋回盤２１０の旋回を許すことをできる。
また、制動面Ｓ１に旋回垂直軸Ｃを仮想中心として半径方向に所定のピッチ角度θ毎に隣り合った複数の仮想半径線を山線または谷線とし水平から見てジグザグ状の歯面を設け、旋回盤２１０の制動面Ｓ１を押付けられる面である被制動面Ｓ２に旋回垂直軸Ｃを仮想中心として半径方向に所定のピッチ角度θ毎に隣り合った複数の仮想半径線を山線または谷線とし水平から見てジグザグ状の歯面を設けて、被制動面Ｓ２に制動面Ｓ１に設けられた歯面に嵌まり合うことをできる歯面を設ける様にしたので、ロック状態で旋回盤２１０の被制動面Ｓ２に設けられたジグザグ状の歯面とブレーキパッド４１０の制動面１に設けられたジグザグ状の歯面が嵌まり合い、旋回盤２１０の旋回が抑制される。
また、制動面Ｓ１を旋回盤２１０の被制動面Ｓ２の下面に押付け、ブレーキバッド４１０を上方に所定の付勢力で付勢させる様にしたので、人が旋回盤に座ると、人の重みが旋回盤２１０に作用し、制動面Ｓ１の歯面と被制動面Ｓ２の歯面とがしっかり嵌まり合う。
また、ワイヤケーブル４２５で、リンク機構を動かして、付勢力に逆らってブレーキパッド４１０を下方に引っ張れる様にし、弾性ばね構造４３０で、ブレーキバッド４１０を上方に付勢したので、ワイヤケーブル４２５を引っ張ると、制動面Ｓ１を旋回盤２１０の被制動面Ｓ２から離間させてアンロック状態にできる。
また、旋回盤２１０を旋回させるために、１対の軸受ローラ３２０を１対のガイド用シャフト３１０に回転自在に支持させ、その１対のガイド用シャフト３１０を便座固定部１００の背面の側に旋回垂直軸Ｃから所定距離Ｘだけ離れた位置に水平方向に離間して垂直に立て、１対の軸受けローラ３２０をガイド部Ｇに嵌まり合わせる様にしたので、旋回盤２１０は、ガイド部Ｇを便座固定部１００に起立した１対のガイド用シャフト３１０に支持された軸受けローラ３２０にガイドされて、旋回垂直軸Ｃを中心として旋回でき、軸受けローラ３２０が人の背面の側にあるので、人が腰掛式大便器を利用するのを邪魔しない。
また、ガイド用シャフト３１０でブレーキバッド４１０を上下方向に移動自在に案内する様にしたので、ガイド用シャフト３１０が軸受けローラ３２０とブレーキパッド４１０の支持機構を兼用するので、便座を小型化でき、人が腰掛式大便器を利用するのを邪魔しない。
また、遠隔ハンドル４２６でワイヤケーブル４２５を引っ張り、ロック状態からアンロック状態に変化させる様にしたので、旋回盤２１０の旋回位置を遠隔で選定できる。
また、旋回盤２１０を旋回させるために、１対の軸受ローラ３２０を１対のガイド用シャフト３１０に回転自在に支持させ、その１対のガイド用シャフト３１０を便座旋回部２００の腰掛式大便器を使用する人の背面の側の旋回垂直軸Ｃから所定距離Ｘだけ離れた位置に水平方向に離間して垂直に立て、１対の軸受けローラ３２０をガイド部Ｇに嵌まり合わせる様にしたので、旋回盤２１０は、便座旋回部２００に起立した１対のガイド用シャフト３１０に支持された受けローラ３２０をガイド部Ｇにガイドされて、旋回垂直軸Ｃを中心として旋回できる。
また、固定盤１１０を前後方向に水平移動可能に案内し、さらに固定盤１１０を左右方向に水平移動可能に案内したので、旋回盤２１０が前後方向または左右方向に水平移動可能になり、人は好みの向きと位置とで旋回盤の座面に座ったり降りたりして、腰掛式大便器を利用できる。
【００４９】
本発明は以上に述べた実施形態に限られるものではなく、発明の要旨を逸脱しない範囲で各種の変更が可能である。
ガイド部Ｇが長穴であるとして説明したがこれに限定されず、例えば、ガイド部を旋回盤２１０の下面に溝状のものであってもよい。
ローラ２２０を球の形式であるとして説明したがこれに限定されず、例えば、ローラ２２０を円筒の形式であってもよい。
また、遠隔ハンドル４２６を手で握る形式で説明したがこれに限定されず、例えば、遠隔ハンドル４２６を足で踏む形式であってもよい。
また、旋回盤２１０の後部が左右に張りだした形状であることを説明したが、これに限定されず、旋回盤２１０の左右の外周形状と固定盤１１０の左右の外周形状とが略一致していてもよい。
また、取っ手２３０が旋回盤２１０の上面に設けられるとして説明したがこれに限定されず、例えば、取っ手２３０が旋回盤２１０の側面に設けられていてもよい。
また、遠隔ハンドル４２６の作用を説明するのに、レバーを握るとアンロック状態になり、レバーを離すとロック状態になるとして説明したがこれに限定されず、例えば、レバーにラッチ機構を設けてもよい。この様にすれば、レバーを握った後離しても、ロック状態またはアンロック状態を保持でき、再度レバーを握ると、状態が変化する。
また、旋回、または左右移動、前後移動するのを電動にしてもよい。例えば、旋回を電動にするのに、軸受けろーラ３２０を電動により回転駆動してもよい。
また、ロック・アンロック機構を電動にしてもよい。
また、便座固定部１００を腰掛式大便器のリムに固定する例で説明したがこれに限定されず、例えば、取付機器軸１２３を回転軸として便座固定部１００と便座旋回部２００とが上下方向に揺動してもよい。
【図面の簡単な説明】
【００５０】
【図１】本発明の第一の実施形態に係る便器用便座の正面図である。
【図２】本発明の第一の実施形態に係る便器用便座の側面図である。
【図３】本発明の第一の実施形態に係る便器用便座の平面図である。
【図４】本発明の第一の実施形態に係る便器用便座のＡ−Ａ矢視図である。
【図５】本発明の第一の実施形態に係る便器用便座のＢ−Ｂ矢視図である。
【図６】本発明の第一の実施形態に係る便器用便座のＣ−Ｃ断面図である。
【図７】本発明の第一の実施形態に係る便器用便座のＤ−Ｄ断面図その１である。
【図８】本発明の第一の実施形態に係る便器用便座のＥ−Ｅ断面図その１である。
【図９】本発明の第一の実施形態に係る便器用便座のＦ−Ｆ断面図その１である。
【図１０】本発明の第一の実施形態に係る便器用便座のＤ−Ｄ断面図その２である。
【図１１】本発明の第一の実施形態に係る便器用便座のＥ−Ｅ断面図その２である。
【図１２】本発明の第一の実施形態に係る便器用便座のＦ−Ｆ断面図その２である。
【図１３】本発明の第一の実施形態に係る便器用便座の作用説明図その１である。
【図１４】本発明の第一の実施形態に係る便器用便座の作用説明図その２である。
【図１５】本発明の第二の実施形態に係る便器用便座の斜視図である。
【図１６】本発明の第二の実施形態に係る便器用便座の解体説明図その１である。
【図１７】本発明の第二の実施形態に係る便器用便座の解体説明図その２である。
【符号の説明】
【００５１】
Ｃ    旋回垂直軸
Ｄ    窪み
Ｊ    固定部貫通穴
Ｈ    旋回部切欠き
Ｌ    旋回水平面
Ｓ１    制動面
Ｓ２    被制動面
Ｇ    ガイド部
θ    ピッチ角度
１００    便座固定部
１１０    固定盤
１２０    固定盤取付機器
１２１    取付機器べース
１２２    取付機器カバー
１２３    取付機器軸
１３０    左右案内機構
１３１    左右案内盤
１３２    左右直動ガイド
１３３    左右移動ロック・アンロック機構
１４０    前後案内機構
１４１    前後案内盤
１４２    前後直動ガイド
１４３    前後移動ロック・アンロック機構
２００    便座旋回部
２１０    旋回盤
２１１    旋回盤本体
２１２    ブレーキシュー
２２０    ローラ
２３０    取っ手
３００    旋回案内部
３１０    ガイド用シャフト
３２０    軸受けローラ
３３０    センターロック部材
４００    旋回ロック・アンロック部
４１０    ブレーキパッド
４１１    ブレーキパッド本体
４１２    リニアブッシュ
４２０    ブレーキパッド移動機器
４２１    ロック部材
４２２    ベース部材
４２３    リンク部材
４２４    クランク部材
４２５    ワイヤケーブル
４２６    遠隔ハンドル
４３０    弾性ばね構造
【図１】
2009118923.tif 000003
【図２】
2009118923.tif 000004
【図３】
2009118923.tif 000005
【図４】
2009118923.tif 000006
【図５】
2009118923.tif 000007
【図６】
2009118923.tif 000008
【図７】
2009118923.tif 000009
【図８】
2009118923.tif 000010
【図９】
2009118923.tif 000011
【図１０】
2009118923.tif 000012
【図１１】
2009118923.tif 000013
【図１２】
2009118923.tif 000014
【図１３】
2009118923.tif 000015
【図１４】
2009118923.tif 000016
【図１５】
2009118923.tif 000017
【図１６】
2009118923.tif 000018
【図１７】
2009118923.tif 000019